(57)【要約】【課題】  強力な吸い込み力を持続させ、集塵フィルターのメンテナンスを軽減できる紙袋レスの電気掃除機を提供することを目的とする。【解決手段】  吸引風を発する電動送風機２と、吸引された塵埃を捕集する塵埃捕集手段５、前記塵埃捕集手段５の吸気上流側に配され塵埃を蓄積する塵埃蓄積部４から構成され前記電動送風機２の吸気上流側に設けられた集塵部３と、前記塵埃捕集手段５に付着した塵埃を除塵する除塵手段１２とを備え、前記除塵手段１２は電気的駆動源を有する電気掃除機で、塵埃捕集手段５が塵埃の堆積で目詰まりした場合に、自動的に塵埃捕集手段５に付着した塵埃を除塵・清掃し、吸込力を維持させようとするものである。【選択図】  図２
2005058641.tif 000002
【特許請求の範囲】
【請求項１】
吸引風を発する電動送風機と、吸引された塵埃を捕集する塵埃捕集手段、前記塵埃捕集手段の吸気上流側に配され塵埃を蓄積する塵埃蓄積部から構成され前記電動送風機の吸気上流側に設けられた集塵部と、前記塵埃捕集手段に付着した塵埃を除塵する除塵手段とを備え、前記除塵手段は電気的駆動源を有する電気掃除機。
【請求項２】
除塵手段は、塵埃捕集手段の吸気下流側かつ略上方部に設けられた請求項１記載の電気掃除機。
【請求項３】
電動送風機、集塵部、除塵手段を内蔵した掃除機本体を備え、前記集塵部は前記除塵手段と分離して、前記掃除機本体から着脱自在な請求項１または２記載の電気掃除機。
【請求項４】
除塵手段は、コイル部と、磁石を保持する振動伝達体とから構成され、前記コイル部に電源を供給して、前記磁石を保持する振動伝達体を移動させることで、塵埃捕集手段に付着した塵埃を除塵する請求項１〜３のいずれか１項に記載の電気掃除機。
【請求項５】
除塵手段は、コイル部と、前記コイル部に電源を供給すると移動する移動体と、前記移動体が接することで移動する伝達体とから構成され、前記伝達体が移動することで、塵埃捕集手段に付着した塵埃を除塵する請求項１〜３のいずれか１項に記載の電気掃除機。
【請求項６】
除塵手段は、電気的駆動源と、前記電気的駆動源により駆動する除塵体とから構成され、前記除塵体が移動することで、塵埃捕集手段に付着した塵埃を除塵する請求項１〜３のいずれか１項に記載の電気掃除機。
【請求項７】
塵埃捕集手段に付着した塵埃を除塵手段により除塵したとき、前記除塵手段に吸引風が通過しない面の方向からも、前記除塵された塵埃は離脱する請求項１〜６のいずれか１項に記載の電気掃除機。
【請求項８】
除塵手段は、電動送風機の運転の開始時又は停止時又は運転途中に、所定時間動作する請求項１〜７のいずれか１項に記載の電気掃除機。
【請求項９】
集塵部内の真空圧、風量、電動送風機の電流値の少なくとも１つを検知し、前記検知した値が所定値に達した時に、除塵手段は動作する請求項８記載の電気掃除機。
【請求項１０】
除塵手段が動作中は、電動送風機の消費電力を低下もしくは停止させる請求項８または９記載の電気掃除機。
【発明の詳細な説明】
【技術分野】
【０００１】
本発明は、紙袋レスの集塵部を有する電気掃除機に関する。
【背景技術】
【０００２】
従来の紙袋レスタイプの集塵部を有した電気掃除機は、吸塵された塵埃は集塵部内に設けられた集塵フィルターによって捕集され、単純にその集塵部に堆積していく構成のものであった（例えば、特許文献１参照）。
【特許文献１】特開昭６０−５７８４９号公報
【発明の開示】
【発明が解決しようとする課題】
【０００３】
ところがこのような電気掃除機にあっては、集塵部内に蓄積される塵埃は、前述の通り単純に堆積するだけの構造のため、集塵フィルターの表面に塵埃が吸着して目づまりし、早い段階で吸込性能が低下するという問題があった。また、塵埃が付着した集塵フィルターのメンテナンスは非衛生的な作業となっていた。
【０００４】
本発明は上記課題を解消して、強力な吸い込み力を持続させ、塵埃捕集手段である集塵フィルターのメンテナンスを軽減できる紙袋レスの電気掃除機を提供することを目的とする。
【課題を解決するための手段】
【０００５】
上記目的を達成するために本発明は、吸引風を発する電動送風機と、吸引された塵埃を捕集する塵埃捕集手段、前記塵埃捕集手段の吸気上流側に配され塵埃を蓄積する塵埃蓄積部から構成され前記電動送風機の吸気上流側に設けられた集塵部と、前記塵埃捕集手段に付着した塵埃を除塵する除塵手段とを備え、前記除塵手段は電気的駆動源を有するもので、塵埃捕集手段が塵埃の堆積で目詰まりした場合に、自動的に塵埃捕集手段に付着した塵埃を除塵・清掃し、吸込力を維持させようとするものである。
【発明の効果】
【０００６】
本発明によれば、紙袋レスの集塵部を有する電気掃除機において、強力な吸い込み力を持続させ、塵埃捕集手段である集塵フィルターのメンテナンスを軽減できる電気掃除機を提供できる。
【発明を実施するための最良の形態】
【０００７】
第１の発明は、吸引風を発する電動送風機と、吸引された塵埃を捕集する塵埃捕集手段、前記塵埃捕集手段の吸気上流側に配され塵埃を蓄積する塵埃蓄積部から構成され前記電動送風機の吸気上流側に設けられた集塵部と、前記塵埃捕集手段に付着した塵埃を除塵する除塵手段とを備え、前記除塵手段は電気的駆動源を有するもので、塵埃捕集手段が塵埃の堆積で目詰まりした場合に、自動的に塵埃捕集手段に付着した塵埃を除塵・清掃し、吸込力を維持させようとするものである。
【０００８】
第２の発明は、除塵手段は、塵埃捕集手段の吸気下流側かつ略上方部に設けられたもので、除塵された塵埃が落下するとき、前記塵埃が除塵手段に付着しにくいため、除塵手段が機能障害にならないように構成したものである。
【０００９】
第３の発明は、電動送風機、集塵部、除塵手段を内蔵した掃除機本体を備え、前記集塵部は前記除塵手段と分離して、前記掃除機本体から着脱自在なもので、集塵部のみを水洗いすることが可能となり、そのときでも、除塵手段に水が付着することもないため、除塵手段には影響を与えず信頼性を確保するようにしたものである。
【００１０】
第４の発明は、除塵手段は、コイル部と、磁石を保持する振動伝達体とから構成され、前記コイル部に電源を供給して、前記磁石を保持する振動伝達体を移動させることで、塵埃捕集手段に付着した塵埃を除塵するもので、除塵手段と振動伝達体とは、除塵手段を振動させるときのみ接触する構成のため、塵埃が付着しやすい集塵部にあっては耐久性・信頼性が高い除塵が可能となるものである。
【００１１】
第５の発明は、除塵手段は、コイル部と、前記コイル部に電源を供給すると移動する移動体と、前記移動体が接することで移動する伝達体とから構成され、前記伝達体が移動することで、塵埃捕集手段に付着した塵埃を除塵するもので、衝撃により塵埃捕集手段に付着した塵埃を除塵するため、塵埃捕集手段からの塵埃の剥離が容易で除塵効果を高めることができるものである。
【００１２】
第６の発明は、除塵手段は、電気的駆動源と、前記電気的駆動源により駆動する除塵体とから構成され、前記除塵体が移動することで、塵埃捕集手段に付着した塵埃を除塵するもので、塵埃捕集手段に付着した塵埃を除塵体でこすりながら塵埃することができるため除塵効果が高まる構成のものである。
【００１３】
第７の発明は、塵埃捕集手段に付着した塵埃を除塵手段により除塵したとき、前記除塵手段に吸引風が通過しない面の方向からも、前記除塵された塵埃は離脱するもので、除塵手段で除塵された塵埃が、吸引風が通過しない面の方向からも抜け易くなり、塵埃捕集手段の除塵効果を高めることができるものである。
【００１４】
第８の発明は、除塵手段は、電動送風機の運転の開始時又は停止時又は運転途中に、所定時間動作するもので、塵埃捕集手段の除塵の頻度を高め、塵埃捕集手段の目詰まりを常に防止させ吸込力を確保するようにしたものである。
【００１５】
第９の発明は、集塵部内の真空圧、風量、電動送風機の電流値の少なくとも１つを検知し、前記検知した値が所定値に達した時に、除塵手段は動作するもので、塵埃捕集手段が目詰まった都度、塵埃捕集手段の掃除ができるため、吸込力の維持が可能となるものである。
【００１６】
第１０の発明は、除塵手段が動作中は、電動送風機の消費電力を低下もしくは停止させるもので、塵埃捕集手段に対する圧力が低下したとき、塵埃捕集手段の掃除ができるため、除塵効果が高まるものである。
【００１７】
以下、本発明の実施の形態について、図面を参照しながら説明する。なお、この実施の形態によって本発明が限定されるものではない。
【００１８】
（実施の形態１）
以下、本発明の第１の実施の形態を、図１を用いて説明する。
【００１９】
図１において、電気掃除機は延長管９に取り付けた塵埃を吸引する吸込具８を有し、該延長管９はハンドル部１０とホース１１とを介して掃除機本体(以下、本体１とする)に連結されている。本体１は、吸引風を発する電動送風機２と、着脱自在な集塵部３を有しており、前記集塵部３は、吸引した塵埃を捕集する塵埃捕集部であるフィルター部５と、塵埃を蓄積する塵埃蓄積部４と構成されている。また、６は前記フィルター部５で捕集され付着した塵埃を除塵する除塵手段で、７は電源コードを収納するコードリールである。
【００２０】
吸込具８から吸引された塵埃と吸引風は、延長管９、ハンドル部１０、ホース１１を介して本体１の集塵部３に運ばれ、フィルター部５には電動送風機２の吸引圧で吸引された塵埃が堆積するため、フィルター部５が目詰まりを起こし、吸い込み風量が低下することになるが、定期的もしくは塵埃が目詰まりした状態を検知し、除塵手段６が動作するため、フィルター部５に付着した塵埃が、振動・衝撃・掻き出しまたはワイピング手段等で効率良く除塵・清掃され、前記除塵・清掃された塵埃が、塵埃蓄積部４に堆積される構成となっている。その結果、吸い込み風量が回復し、初期の吸込力が確保されるようになっている。
【００２１】
本掃除機は、図２に示すように、フィルター部５の吸気上流側には粗ネット１４が設けており、集塵部３に吸い込まれた塵埃は吸引風と、前記粗ネット１４にて分離され、前記分離された塵埃は、塵埃蓄積部４内に蓄積される。また、除塵手段１２は、フィルター部５の吸気下流側かつ略上方部に設けられており、定期的もしくはフィルター部５の目詰まり状態を検知したら、除塵手段１２が、フィルター部５や粗ネット１４のフィルター面が清掃されるよう動作する。フィルター部５の吸気上流側には粗ネット１４が設けられているため、粗ゴミは塵埃蓄積部４内に落ち、細塵は細塵室１３内に落ちるよう動作する。つまり、フィルター部５に付着した塵埃が、除塵手段１２により除塵されたとき、前記除塵手段１２に吸引風が通過しない面の方向からも、前記除塵された塵埃は離脱するもので、除塵手段１２で除塵された塵埃が、吸引風が通過しない面の方向からも抜け易くなり、フィルター部５の除塵効果を高めることができるものである。
【００２２】
また、除塵手段１２は、フィルター部５の吸気下流側かつ略上方部に設けられているため、除塵された塵埃が、フィルター部５より剥離しても、除塵手段１２には落下しないため、除塵手段１２に対する塵埃の影響が出ないため信頼性が向上する。
【００２３】
また、除塵手段１２とフィルター部５とは、除塵手段１２に連結された連結体Ａ１５と、フィルター部５に連結された連結体Ｂの１６とで結合されており、集塵部３が本体１から離脱後、装着された場合には、連結体Ａ１５と連結体Ｂ１６とが連結自在になる構成となっている。集塵部３のエアータイトは連結体の外面外周で行っており、掃除機本体１と集塵部３のタイト面にはテーパー角を設けているため、集塵部３を着脱しても空気等の漏れは無く、集塵部３のみ水洗い等のメンテナンスがされも、除塵手段１２には影響がなく信頼性が高い構成が実現できるものである。
【００２４】
また、除塵手段１２や電動送風機２の動作は制御手段１７で制御され、制御手段１７は操作手段１８の操作により、除塵手段１２や電動送風機２の運転・停止等が行える構成となっており、除塵手段１２は前記操作手段１８の操作により、電動送風機２の運転の開始又は停止又は運転途中において、所定時間動作するよう構成されている。
【００２５】
図３は、除塵手段１２の実施の形態を示すものであり、除塵手段１２は、鉄心部１９と電気的駆動源であるコイル部２０と鉄心部１９の磁路中に一定の空間を持たせて磁石２１を設けており、磁石２１は振動伝達体である連結体Ａ１５に一体に形成され、連結体Ａ１５は弾性体であるバネ体２２で軸部を支持され、稼動可能に軸支されている。コイル部２０に商用電源または直流パルス電源を通電すると、鉄心部１９に磁界が発生することで、磁石２１に磁力が作用し、連結体Ａが上下方向に振動する。その振動成分を連結体Ｂ１６を介してフィルター部５に伝達し、前記フィルター部５を上下方向へ振動させ、前記フィルター部５に付着した塵埃が剥離するよう動作するものである。
【００２６】
図４は、除塵手段１２の他の実施の形態を示すものであり、除塵手段１２は、電気的駆動源であるソレノイドコイル部２３、移動体であるシャフト２４、弾性体であるバネ体２５で構成されており、シャフト２４先端の伝達体である連結体Ａ１５はバネ体２５を介して接続されており、ソレノイドコイル部２３に商用電源または直流パルス電源を通電すると、シャフト２４が前後方向への振動運動を行い、その振動成分がバネ体２５、連結体Ａ１５、連結体Ｂ１６を介してフィルター部５に伝達し、前記フィルター部５を前後方向へ振動させ、フィルター部５に付着した塵埃が剥離するよう動作するものである。
【００２７】
図５は、除塵手段１２の他の実施の形態を示すものであり、電気的駆動源であるモータ２６の回転軸には、除塵体である除塵レバー２７が取り付けられており、除塵レバー２７はフィルター部５や粗ネット１４面を往復または間欠または片移動する動作を行い、フィルター面を除塵するよう動作する。また、フィルター部５の周囲が枠部材３１で囲まれた構成とし、フィルター下部３２は開放状態に構成し、その下方に塵埃を蓄積する細塵室１３を設け、除塵手段１２で除塵された塵埃がフィルター部５の下方より抜け易く構成し、除塵された塵埃が前記細塵室１３に蓄積されるよう構成したものであり、下部が開放されていると除塵された塵埃が効率よく除塵される。
【００２８】
図６は、制御装置１７には真空圧検出手段３０が接続されており、真空圧が所定の圧力に達したら、除塵手段１２を動作させフィルター部５を除塵する動作を行う。本実施の形態では、真空圧検知手段３０の事例を上げたが、電動送風機２の電流検知や電気掃除機内の風量検知等、フィルターの目詰まり状態を直接または間接的に検知できるものであればどんなものでも良い。フィルター部５の除塵手段１２を有する電気掃除機にあって、除塵手段１２が動作中は電動送風機２の消費電力を低下もしくは停止させることにより、フィルター部５に作用する吸引圧を軽減し、前記フィルター部５から付着した塵埃が剥離しやすくすることで、塵埃の除塵効果を大幅に高めたものである。
【産業上の利用可能性】
【００２９】
以上のように、本発明によれば、塵埃捕集手段である集塵フィルターを自動的に清掃でき、強力な吸い込み力を持続できるため、紙袋レスの電気掃除機の吸い込み性能を維持するのに特に有用である。
【図面の簡単な説明】
【００３０】
【図１】本発明の第１の実施の形態を示す電気掃除機の外観図
【図２】同集塵部の側断面図
【図３】同除塵手段の側断面図
【図４】同他の除塵手段の側断面図
【図５】同他の除塵手段の背面図
【図６】同他の集塵部の側断面図
【符号の説明】
【００３１】
１  掃除機本体
２  電動送風機
３  集塵部
４  塵埃蓄積部
５  フィルター部（塵埃捕集手段）
６  除塵手段
１２  除塵手段
１３  細塵室
１４  粗ネット
１５、１６  連結部Ａ、連結部Ｂ
１７  制御装置
１８  操作手段
１９  鉄心部
２０  コイル部
２１  磁石
２３  ソレノイドコイル部
２７  除塵レバー
【図１】
2005058641.tif 000003
【図２】
2005058641.tif 000004
【図３】
2005058641.tif 000005
【図４】
2005058641.tif 000006
【図５】
2005058641.tif 000007
【図６】
2005058641.tif 000008